【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
第１の型のサービスを提供する第１の型のサービスサーバ装置であって、
第２の型のサービスサーバ装置が提供する第２の型のサービスのサービス定義文書を、予め決められた規則に従って前記第１の型のサービスのサービス定義文書に変換して、第１の型のサービスクライアント装置に公開する公開手段と、
前記第１の型のサービスクライアント装置から送信された第１の型のサービスリクエストメッセージを、前記規則に従って第２の型のリクエストメッセージに変換して、前記第２の型のサービスサーバ装置に送信する送信手段と、
を有することを特徴とするサービスサーバ装置。
【請求項２】
前記公開手段は、前記第２の型のサービスのサービス定義文書で定義された前記第２の型のサービスの識別子を、前記規則に従って、前記第１の型のサービスリクエストメッセージの識別子に変換することを特徴とする請求項１に記載のサービスサーバ装置。
【請求項３】
前記送信手段は、前記第１の型のサービスクライアント装置から送信された第１の型のサービスリクエストメッセージに記述された名前空間の識別子を、前記第２の型のサービスサーバ装置に送信する前記第２の型のリクエストメッセージの基本アドレスとして利用することを特徴とする請求項１に記載のサービスサーバ装置。
【請求項４】
前記送信手段は、前記第２の型のサービスサーバ装置が送信した第２の型のサービス応答メッセージを、前記規則に従って前記第１の型のサービス応答メッセージに変換して、前記第１の型のサービスクライアント装置に送信することを特徴とする請求項１に記載のサービスサーバ装置。
【請求項５】
第１の型のサービスを提供する第１の型のサービスサーバ装置におけるメッセージ変換方法であって、
公開手段が、第２の型のサービスサーバ装置が提供する第２の型のサービスのサービス定義文書を、予め決められた規則に従って前記第１の型のサービスのサービス定義文書に変換して、第１の型のサービスクライアント装置に公開する公開工程と、
送信手段が、前記第１の型のサービスクライアント装置から送信された第１の型のサービスリクエストメッセージを、前記規則に従って第２の型のリクエストメッセージに変換して、前記第２の型のサービスサーバ装置に送信する送信工程と、
を有することを特徴とするメッセージ変換方法。
【請求項６】
前記公開工程は、前記第２の型のサービスのサービス定義文書で定義された前記第２の型のサービスの識別子を、前記規則に従って、前記第１の型のサービスリクエストメッセージの識別子へ変換することを特徴とする請求項５に記載のメッセージ変換方法。
【請求項７】
前記送信工程は、前記第１の型のサービスクライアント装置から送信された第１の型のサービスリクエストメッセージに記述された名前空間の識別子を、前記第２の型のサービスサーバ装置に送信する前記第２の型のリクエストメッセージの基本アドレスとして利用することを特徴とする請求項５に記載のメッセージ変換方法。
【請求項８】
前記送信工程は、前記第２の型のサービスサーバ装置が送信した第２の型のサービス応答メッセージを、前記規則に従って前記第１の型のサービス応答メッセージに変換して、前記第１の型のサービスクライアント装置に送信することを特徴とする請求項５に記載のメッセージ変換方法。
【請求項９】
コンピュータを請求項１乃至４の何れか１項に記載のサービスサーバ装置の各手段として機能させるためのプログラム。
【手続補正２】
【補正対象書類名】明細書
【補正対象項目名】発明の名称
【補正方法】変更
【補正の内容】
【発明の名称】サービスサーバ装置及びメッセージ変換方法
【手続補正３】
【補正対象書類名】明細書
【補正対象項目名】０００１
【補正方法】変更
【補正の内容】
【０００１】
本発明は、サービスサーバ装置及びメッセージ変換方法に関するものである。
【手続補正４】
【補正対象書類名】明細書
【補正対象項目名】００１５
【補正方法】変更
【補正の内容】
【００１５】
本発明は、第１の型のサービスクライアント側に大きな負荷をかけることなく、第２の型のサービスを第１の型のサービスとして利用可能にすることを目的とする。
【手続補正５】
【補正対象書類名】明細書
【補正対象項目名】００１６
【補正方法】変更
【補正の内容】
【００１６】
本発明は、第１の型のサービスを提供する第１の型のサービスサーバ装置であって、
第２の型のサービスサーバ装置が提供する第２の型のサービスのサービス定義文書を、予め決められた規則に従って前記第１の型のサービスのサービス定義文書に変換して、第１の型のサービスクライアント装置に公開する公開手段と、
前記第１の型のサービスクライアント装置から送信された第１の型のサービスリクエストメッセージを、前記規則に従って第２の型のリクエストメッセージに変換して、前記第２の型のサービスサーバ装置に送信する送信手段と、
を有することを特徴とする。
【手続補正６】
【補正対象書類名】明細書
【補正対象項目名】００１７
【補正方法】変更
【補正の内容】
【００１７】
また、本発明は、第１の型のサービスを提供する第１の型のサービスサーバ装置におけるメッセージ変換方法であって、
公開手段が、第２の型のサービスサーバ装置が提供する第２の型のサービスのサービス定義文書を、予め決められた規則に従って前記第１の型のサービスのサービス定義文書に変換して、第１の型のサービスクライアント装置に公開する公開工程と、
送信手段が、前記第１の型のサービスクライアント装置から送信された第１の型のサービスリクエストメッセージを、前記規則に従って第２の型のリクエストメッセージに変換して、前記第２の型のサービスサーバ装置に送信する送信工程と、
を有することを特徴とする。
【手続補正７】
【補正対象書類名】明細書
【補正対象項目名】００１８
【補正方法】変更
【補正の内容】
【００１８】
本発明によれば、第１の型のサービスクライアント側に大きな負荷をかけることなく、第２の型のサービスを第１の型のサービスとして利用することが可能となる。
【手続補正８】
【補正対象書類名】明細書
【補正対象項目名】００８５
【補正方法】変更
【補正の内容】
【００８５】
一方、メッセージ変換処理部１１１２は、受信した要求ＳＯＡＰメッセージから変換規則によって定義された情報を取得する（１２０３）。そして、取得した情報からＲＥＳＴ型サービスへの要求メッセージを生成する（１２０４）。次に、ここで生成した要求ＲＥＳＴメッセージをＲＥＳＴメッセージ送受信部１１１３に送信する（１２０５）。
【手続補正９】
【補正対象書類名】明細書
【補正対象項目名】００８６
【補正方法】変更
【補正の内容】
【００８６】
要求ＲＥＳＴメッセージを受信したＲＥＳＴメッセージ送受信部１１１３は、ＲＥＳＴ型サービスＡ１１４０へ要求ＲＥＳＴメッセージを送信する（１２０６）。要求ＲＥＳＴメッセージを受信したＲＥＳＴ型サービスＡ１１４０は、要求された処理を行い、その結果として応答ＲＥＳＴメッセージをＲＥＳＴメッセージ送受信部１１１３へ送信する（１２０７）。
【手続補正１０】
【補正対象書類名】明細書
【補正対象項目名】００８７
【補正方法】変更
【補正の内容】
【００８７】
応答ＲＥＳＴメッセージを受信したＲＥＳＴメッセージ送受信部１１１３は、メッセージ変換処理部１１１２に応答ＲＥＳＴメッセージを送信する（１２０８）。応答ＲＥＳＴメッセージを受信したメッセージ変換処理部１１１２は、応答ＲＥＳＴメッセージから応答ＳＯＡＰメッセージを生成する（１２０９）。メッセージ変換処理部１１１２は、ＲＥＳＴ型サービスからの応答メッセージをＳＯＡＰメッセージの＜body＞要素以下に格納することで応答ＳＯＡＰメッセージを生成する。そして、メッセージ変換処理部１１１２は、生成した応答ＳＯＡＰメッセージをＳＯＡＰメッセージ送受信部１１１１に送信する（１２１０）。